【手続補正書】
【提出日】平成20年5月28日(2008.5.28)
【手続補正１】
【補正対象書類名】明細書
【補正対象項目名】特許請求の範囲
【補正方法】変更
【補正の内容】
【特許請求の範囲】
【請求項１】  ポリハロゲン化ビフェニル化合物（ＰＨＢ類）、ポリハロゲン化ジベンゾフラン類（ＰＨＤＦ類）およびポリハロゲン化ジベンゾ−ｐ−ダイオキシン類（ＰＨＤＤ類）を、複数のポリハロゲン化二環芳香族炭化水素の混合物から分離する方法であって、
サンプルを有機溶剤で抽出して、複数のポリハロゲン化二環芳香族炭化水素を含む初回抽出サンプルを作るステップと、
前記初回抽出サンプルを、活性炭および珪藻土を含む吸着マトリクスと接触させるステップであって、ＰＨＢ化合物類、ＰＨＤＤ化合物類およびＰＨＤＦ化合物類を前記マトリクスに吸着させることを特徴とするステップと、
前記ＰＨＢ化合物類を、前記マトリクスから溶離して、ＰＨＢ分画を作るステップと、
ＰＨＤＤ化合物類およびＰＨＤＦ化合物類を前記マトリクスから溶離してＰＨＤＤ／ＰＨＤＦ分画を作るステップと
を含む方法。
【請求項２】  前記複数のポリハロゲン化二環芳香族炭化水素の混合物が、ポリ塩化二環芳香族炭化水素を含む、請求項１に記載の方法。
【請求項３】  前記初回抽出サンプルが、硫酸ナトリウムを含むマトリクスで前記サンプルを分離することによって精製される、請求項１に記載の方法。
【請求項４】  前記初回抽出サンプルが、シリカゲルを含むカラムで該初回抽出サンプルを分離することによってさらに精製される、請求項１に記載の方法。
【請求項５】  前記初回抽出サンプルを精製する前に、シリカゲルを含む前記カラムが硫酸で処理される、請求項４に記載の方法。
【請求項６】  前記活性炭が、前記初回抽出サンプルと接触する前に加熱される、請求項１に記載の方法。
【請求項７】  前記ＰＨＤＤ／ＰＨＤＦ分画が、２，３，７，８−テトラクロロジベンゾダイオキシン、２，３，７，８−テトラクロロジベンゾフラン、およびそれらの異性体からなる群から選択される１以上の化合物を含む、請求項１に記載の方法。
【請求項８】  前記ＰＨＢ分画の毒性を決定するステップをさらに含む、請求項１に記載の方法。
【請求項９】  前記毒性が細胞に基づく分析法で決定される、請求項８に記載の方法。
【請求項１０】  前記細胞に基づく分析法が、前記ＰＨＢ分画中のＰＨＢ濃度に応答した、細胞系ＡＴＣＣ  ＣＲＬ−１２２８６におけるルシフェラーゼの発現を測定するステップを含む、請求項９に記載の方法。
【請求項１１】  前記ＰＨＤＤ／ＰＨＤＦ分画の毒性を決定するステップをさらに含む、請求項１に記載の方法。
【請求項１２】  前記毒性が、細胞に基づく分析法で決定される、請求項１１に記載の方法。
【請求項１３】  前記細胞に基づく分析法が、前記ＰＨＤＤ／ＰＨＤＦ分画中の、ＰＨＤＤ／ＰＨＤＦ化合物の濃度に応答した、細胞系ＡＴＣＣ  ＣＲＬ−１２２８６におけるルシフェラーゼの発現を測定するステップを含む、請求項１２に記載の方法。
【請求項１４】  ポリ塩化ビフェニル化合物類（ＰＣＢ類）、ポリ塩化ジベンゾフラン類（ＰＣＤＦ類）およびポリ塩化ジベンゾ−ｐ−ダイオキシン類（ＰＣＤＤ類）を、複数のポリ塩化二環芳香族炭化水素の混合物から分離する方法であって、
サンプルを有機溶剤で抽出して、複数のポリ塩化二環芳香族炭化水素を含む初回抽出サンプルを作るステップと、
前記初回抽出サンプルを、活性炭および珪藻土を含む吸着マトリクスと接触させるステップであって、ＰＣＢ化合物類、ＰＣＤＤ化合物類およびＰＣＤＦ化合物類を前記マトリクスに吸着させることを特徴とするステップと、
前記ＰＣＢ化合物類を、前記マトリクスから溶離して、ＰＣＢ分画を作るステップと、
前記ＰＣＤＤ化合物類およびＰＣＤＦ化合物類を前記マトリクスから溶離してＰＣＤＤ／ＰＣＤＦ分画を作るステップと
を含む方法。
【請求項１５】  前記初回抽出サンプルが、硫酸ナトリウムを含むマトリクスで前記サンプルを分離することによって精製される、請求項１４に記載の方法。
【請求項１６】  前記初回抽出サンプルが、シリカゲルを含むカラムで該初回抽出サンプルを分離することによってさらに精製される、請求項１４に記載の方法。
【請求項１７】  前記初回抽出サンプルを精製する前に、前記シリカゲルを含むカラムが硫酸で処理される、請求項１６に記載の方法。
【請求項１８】  前記活性炭が、前記初回抽出サンプルと接触する前に加熱される、請求項１４に記載の方法。
【請求項１９】  前記サンプルが固体サンプルである、請求項１４に記載の方法。
【請求項２０】  前記サンプルがガス状サンプルである、請求項１４に記載の方法。
【請求項２１】  前記サンプルが、土壌サンプルおよび灰サンプルからなる群から選択される、請求項１４に記載の方法。
【請求項２２】  前記ＰＣＢ分画の毒性を決定するステップをさらに含む、請求項１４に記載の方法。
【請求項２３】  前記毒性が細胞に基づく分析法で決定される、請求項２２に記載の方法。
【請求項２４】  前記細胞に基づく分析法が、前記ＰＣＢ分画中のＰＣＢ濃度に応答した、細胞系ＡＴＣＣ  ＣＲＬ−１２２８６におけるルシフェラーゼの発現を測定するステップを含む、請求項２３に記載の方法。
【請求項２５】  前記ＰＣＤＤ／ＰＣＤＦ分画の毒性を決定するステップをさらに含む、請求項１４に記載の方法。
【請求項２６】  前記毒性が、細胞に基づく分析法で決定される、請求項２５に記載の方法。
【請求項２７】  前記細胞に基づく分析法が、前記ＰＣＤＤ／ＰＣＤＦ分画中のＰＣＤＤ／ＰＣＤＦ化合物の濃度に応答した、細胞系ＡＴＣＣ  ＣＲＬ−１２２８６におけるルシフェラーゼの発現を測定するステップを含む、請求項２６に記載の方法。
【請求項２８】  複数のポリ塩化二環芳香族炭化水素の混合物を含むサンプル中の、ＰＣＤＤ類およびＰＣＤＦ類の量に対するＰＣＢ類の量を比較する方法であって、
サンプルを有機溶剤で抽出して、複数のポリ塩化二環芳香族炭化水素類を含む初回抽出サンプルを作るステップと、
前記初回抽出サンプルを、活性炭および珪藻土を含む吸着マトリクスと接触させるステップであって、ＰＣＢ類、ＰＣＤＤ類およびＰＣＤＦ類を前記マトリクスに吸着させることを特徴とするステップと、
前記ＰＣＢ類を、前記マトリクスから溶離して、ＰＣＢ分画を作るステップと、
前記ＰＣＢ分画中に存在するＰＣＢ類の量を決定するステップと、
前記ＰＣＤＤ類およびＰＣＤＦ類を前記マトリクスから溶離してＰＣＤＤ／ＰＣＤＦ分画を作るステップと、
前記ＰＣＤＤ／ＰＣＤＦ分画中に存在するＰＣＤＤ類およびＰＣＤＦ類の量を決定するステップと、
次いで、前記ＰＣＢ分画中のＰＣＢ類の量を、前記ＰＣＤＤ／ＰＣＤＦ分画中に存在するＰＣＤＤ類およびＰＣＤＦ類の量と比較するステップと
を含む方法。
【請求項２９】  前記サンプルの抽出が、該サンプルを、硫酸ナトリウムを含むマトリクス上で分離することによって行われる、請求項２８に記載の方法。
【請求項３０】  前記サンプルを、シリカゲルを含むカラムで分離することによって、前記初回抽出サンプルを精製するステップをさらに含む、請求項２８に記載の方法。
【請求項３１】  前記カラムが硫酸で処理される、請求項２８に記載の方法。
【請求項３２】  前記活性炭が、前記初回抽出サンプルと接触する前に加熱される、請求項２８に記載の方法。
【請求項３３】  前記ＰＣＤＤ／ＰＣＤＦ分画が、２，３，７，８−テトラクロロジベンゾダイオキシン、２，３，７，８−テトラクロロジベンゾフラン、およびそれらの異性体からなる群から選択される１以上の化合物を含む、請求項２８に記載の方法。
【請求項３４】  前記ＰＣＢ分画中に存在する前記ＰＣＢ類の量が、高分解能ガスクロマトグラフィ質量分析法で決定される、請求項２８に記載の方法。
【請求項３５】  前記ＰＣＤＤ／ＰＣＤＦ分画中に存在する前記ＰＣＤＤおよびＰＣＤＦ化合物類の量が、高分解能ガスクロマトグラフィ質量分析法で決定される、請求項２８に記載の方法。
【請求項３６】  ポリ塩化ビフェニル化合物類（ＰＣＢ類）、ポリ塩化ジベンゾフラン類（ＰＣＤＦ類）およびポリ塩化ジベンゾ−ｐ−ダイオキシン類（ＰＣＤＤ類）を、複数のポリ塩化二環芳香族炭化水素類の混合物から分離する方法であって、
サンプルを有機溶剤で抽出して、複数のポリ塩化二環芳香族炭化水素を含む初回抽出サンプルを作るステップと、
前記初回抽出サンプルを、硫酸ナトリウムを含むマトリクス上で分離することによって、該初回抽出サンプルを精製するステップと、
前記初回抽出サンプルを、シリカゲルを含むカラムで分離して精製された初回抽出サンプルを作ることによって、前記初回抽出サンプルをさらに精製するステップであって、該初回抽出サンプルを精製する前に、シリカゲルを含む前記カラムを、硫酸で処理することを特徴とするステップと、
前記精製された初回抽出サンプルを、活性化された黒鉛化炭素および珪藻土を含む吸着マトリクスと接触させて、ＰＣＢ化合物類、ＰＣＤＤ化合物類およびＰＣＤＦ化合物類を前記マトリクスに吸着させるステップと、
前記ＰＣＢ化合物類を、前記マトリクスから溶離させて、ＰＣＢ分画を作るステップと、
前記ＰＣＤＤ化合物類およびＰＣＤＦ化合物類を、前記マトリクスから溶離させてＰＣＤＤ／ＰＣＤＦ分画を作るステップと
を含む方法。